(57)【要約】【課題】建物躯体に固定することなく施工する建物添設のテラスにおける屋根自由端と躯体との間に生じる空隙を有効且つ外観よく処理して可及的に雨水の浸入を防止する。【解決手段】テラス１の屋根自由端を躯体から１０ｃｍ程度離して設置し、屋根自由端と躯体Ａとの間に、風圧の煽り荷重や積雪荷重による屋根１２の揺動や撓みを許容する揺動撓み空隙Ｂを配置するとともに屋根自由端から躯体Ａ側にエラストマーの押出成形材による幅広板状の閉塞部材４を上向きに突設し、その舌状先端４３を躯体Ａに上下方向摺動自在に弾性圧接することによって、該閉塞部材４により躯体Ａとテラス１間への雨水の浸入を可及的に防止する。閉塞部材４は高弾性伸張性を有するから、損傷することもなく耐久性を有する。【選択図】図４
2018017118.tif 000002
【特許請求の範囲】
【請求項１】
建物開口部乃至壁面の前面に躯体に固定することなく支柱支持によって独立施工するテラス、サンルーム等建物添設用の独立構築物であって、上記躯体との間に屋根自由端の風圧揺動乃至積雪撓みを躯体非接触状態で許容する揺動撓み空隙を配置する一方、上記屋根自由端に該自由端長手方向に一連に配置した取付枠と、該取付枠に該自由端側の幅方向一端を固定して躯体側に向けて幅広に突出することによって舌状先端を躯体に対して上下方向摺動自在に弾性圧接して上記揺動撓み空隙を閉塞する高弾性伸張性の閉塞部材を備えてなることを特徴とする建物添設用独立構築物。
【請求項２】
上記取付枠と閉塞部材の一方に被嵌溝を、他方に嵌合条を配置し、これらの嵌合固定によって、該取付枠に対する閉塞部材の固定を行ってなることを特徴とする請求項１に記載の建物添設用独立構築物。
【請求項３】
上記屋根自由端の上記取付枠の躯体側に、上記閉塞部材を突出方向中間位置で保持して該閉塞部材の突出方向を規制する中間枠乃至中間金具を備えてなることを特徴とする請求項１又は２に記載の建物添設用独立構築物。
【請求項４】
上記中間枠乃至中間金具と閉塞部材にそれぞれ反対方向に向けて開口する各Ｌ字上の係合条又は係合部を配置し、これら係合条又は係合部の係合によって、該中間枠又は中間金具への閉塞部材の保持を行ってなることを特徴とする請求項３に記載の建物添設用独立構築物。
【請求項５】
上記閉塞部材の舌状先端近傍に、該舌状先端とともに躯体に対接する対接条を配置して、該舌状先端の躯体に対する上下摺動自在の弾性圧接を可及的に線接触としてなることを特徴とする請求項１、２、３又は４に記載の建物添設用独立構築物。
【請求項６】
上記閉塞部材をエラストマーの押出成形材によるものとしてなることを特徴とする請求項１、２、３、４又は５に記載の建物添設用独立構築物。
【請求項７】
上記揺動撓み空隙の基準幅を８〜１２ｃｍとし、上記閉塞部材の幅を該揺動撓み空隙の基準幅の１．７〜２倍としてなることを特徴とする請求項１、２、３、４、５又は６に記載の建物添設用独立構築物。
【発明の詳細な説明】
【技術分野】
【０００１】
本発明は、例えば、テラス、サンルーム、サイクルポート等の如くに建物開口部乃至壁面の前面に支柱支持によって施工設置する建物添設用の独立構築物に関する。
【背景技術】
【０００２】
建物開口部乃至壁面の前面に、支柱支持によって施工するテラス、サンルーム等の構築物は、支柱支持した屋根の躯体側端部を躯体に対してネジ、ボルト等の固定金具を用いて固定することによって、支柱支持と該躯体固定によって風圧の煽り荷重や積雪荷重に対する屋根の固定強度を確保するものとしてあり、下記特許文献１は、躯体への固定を、躯体側と屋根側の接続枠に相互に回動自在の湾曲面を介設して、例えば構築物設置スペースとの関係で屋根傾斜角度が異なる場合にも、該屋根傾斜角度に応じて躯体への固定をなし得るものとしたものとされる。
【先行技術文献】
【特許文献】
【０００３】
【特許文献１】特開２００４−２５７０１３号公報
【発明の概要】
【発明が解決しようとする課題】
【０００４】
この場合、上記のように風圧の煽り荷重や積雪荷重に対する屋根の固定強度を確保することができるが、躯体への固定にネジ、ボルト等の固定金具を用いることによって、躯体固定部位から雨水が浸入して、壁面の雨仕舞が損なわれる可能性を否定できないし、近時、住宅瑕疵担保履行法が施行されたことによって、住宅メーカーや住宅建築業者が、雨仕舞に影響する可能性のあるネジ、ボルト等の固定金具を用いた構築物の躯体への固定を忌避する傾向が生じている一方で、施主がテラス、サンルーム等の設置を望むことも多い。
【０００５】
従って、これら構築物を、建物開口部乃至壁面の前面に躯体固定することなく支柱支持によって独立施工する建物添設の独立構築物とする必要が生じるところ、該独立構築物とした場合に屋根の自由端と躯体との間に生じる空隙を有効且つ外観よく処理する必要が生じる。
【０００６】
本発明はかかる事情に鑑みてなされたもので、その解決課題とするところは、テラス、サンルーム等の独立構築物の屋根自由端と躯体との間に生じる空隙を有効且つ外観よく処理し得るようにした建物添設用独立構築物を提供するにある。
【課題を解決するための手段】
【０００７】
上記課題に沿って本発明は、例えば、カーポート、サイクルポート等の屋根を支柱支持した独立構築物の設置を、その屋根自由端と躯体との間に屋根自由端の揺動撓み空隙を配置して施工する建物添設のものとし、該揺動撓み空隙によって屋根自由端の揺動を躯体非接触状態で積極的に許容し、風圧の煽り荷重や積雪荷重の負荷によって、該屋根自由端が上下方向に揺動し、該屋根自由端が躯体の壁面に接触して屋根自由端乃至躯体の壁面を損傷する可能性を解消する一方、屋根自由端と躯体との該揺動撓み空隙に、可及的に雨水の浸入を防止するように閉塞部材を配置するとともに該閉塞部材を高弾性伸張性のものとして、該閉塞部材に配置した舌状先端を躯体に対して上下方向摺動自在に弾性圧接することによって、該揺動撓み空隙を、長期の耐久性を備えて有効に且つ外観よく処理し得るようにしたものである。
即ち、請求項１に記載の発明を、建物開口部乃至壁面の前面に躯体固定することなく支柱支持によって独立施工するテラス、サンルーム等建物添設用の独立構築物であって、上記躯体との間に屋根自由端の風圧揺動乃至積雪撓みを躯体非接触状態で許容する揺動撓み空隙を配置する一方、上記屋根自由端に該自由端長手方向に一連に配置した取付枠と、該取付枠に該自由端側の幅方向一端を固定して躯体側に向けて幅広に突出することによって舌状先端を躯体に対して上下方向摺動自在に弾性圧接して上記揺動撓み空隙を閉塞する高弾性伸張性の閉塞部材を備えてなることを特徴とする建物添設用独立構築物としたものである。
【０００８】
請求項２に記載の発明は、上記に加えて、屋根自由端に対する閉塞部材の固定を可及的簡易且つ確実に行うものとするように、これを、上記取付枠と閉塞部材の一方に被嵌溝を、他方に嵌合条を配置し、これらの嵌合固定によって、該取付枠に対する閉塞部材の固定を行ってなることを特徴とする請求項１に記載の建物添設用独立構築物としたものである。
【０００９】
請求項３に記載の発明は、同じく上記に加えて、上記高弾性伸張性の閉塞部材の屋根自由端から躯体への突出方向を突出方向中間位置で規制し、該閉塞部材の突出方向の確保と中間支持によって閉塞部材による雨水防止の閉塞を可及的有効になし得るものとするように、これを、上記屋根自由端の上記取付枠の躯体側に、上記閉塞部材を突出方向中間位置で保持して該閉塞部材の突出方向を規制する中間枠乃至中間金具を備えてなることを特徴とする請求項１又は２に記載の建物添設用独立構築物としたものである。
【００１０】
請求項４に記載の発明は、同じく上記に加えて、上記中間枠乃至中間金具による閉塞部材の保持を、可及的安定且つ確実に行うものとするように、これを、上記中間枠乃至中間金具と閉塞部材にそれぞれ反対方向に向けて開口する各Ｌ字上の係合条又は係合部を配置し、これら係合条又は係合部の係合によって、該中間枠又は中間金具への閉塞部材の保持を行ってなることを特徴とする請求項３に記載の建物添設用独立構築物としたものである。
【００１１】
請求項５に記載の発明は、同じく上記に加えて、閉塞部材の上記舌状先端による躯体に対する弾性圧接を可及的に線接触になし得るものとすることによって、閉塞部材の雨水防止を可及的有効になし得るものとするように、これを、上記閉塞部材の舌状先端近傍に、該舌状先端とともに躯体に対接する対接条を配置して、該舌状先端の躯体に対する上下摺動自在の弾性圧接を可及的に線接触としてなることを特徴とする請求項１、２、３又は４に記載の建物添設用独立構築物としたものである。
【００１２】
請求項６に記載の発明は、同じく上記に加えて、上記閉塞部材を、高弾性伸張性を有する好ましい形態のものとするように、これを、上記閉塞部材をエラストマーの押出成形材によるものとしてなることを特徴とする請求項１、２、３、４又は５に記載の建物添設用独立構築物としたものである。
【００１３】
請求項７に記載の発明は、同じく上記に加えて、上記揺動撓み空隙を、独立構築物の屋根自由端の揺動撓みを可及的充分に確保しつつ該屋根自由端が躯体に接触して該屋根自由端乃至躯体の壁面の損傷可能性を解消する幅を有するものとするように、これを、上記揺動撓み空隙の基準幅を８〜１２ｃｍとし、上記閉塞部材の幅を該揺動撓み空隙の基準幅の１．７〜２倍としてなることを特徴とする請求項１、２、３、４、５又は６に記載の建物添設用独立構築物としたものである。
【００１４】
本発明はこれらをそれぞれ発明の要旨として上記課題解決の手段としたものである。
【発明の効果】
【００１５】
本発明は以上のとおりに構成したから、請求項１に記載の発明は、例えば、カーポート、サイクルポート等の屋根を支柱支持した独立構築物の設置を、その屋根自由端と躯体との間に屋根自由端の揺動撓み空隙を配置して施工する建物添設のものとし、該揺動撓み空隙によって屋根自由端の揺動を躯体非接触状態で積極的に許容し、風圧の煽り荷重や積雪荷重の負荷によって、該屋根自由端が上下方向に揺動し、該屋根自由端が躯体の壁面に接触して屋根自由端乃至躯体の壁面を損傷する可能性を解消する一方、屋根自由端と躯体との該揺動撓み空隙に、可及的に雨水の浸入を防止するように閉塞部材を配置するとともに該閉塞部材を高弾性伸張性のものとして、該閉塞部材に配置した舌状先端を躯体に対して上下方向摺動自在に弾性圧接することによって、該揺動撓み空隙を、長期の耐久性を備えて有効に且つ外観よく処理し得るようにした建物添設用独立構築物を提供することができる。
【００１６】
請求項２に記載の発明は、上記に加えて、屋根自由端に対する閉塞部材の固定を可及的簡易且つ確実に行うものとすることができる。
【００１７】
請求項３に記載の発明は、同じく上記に加えて、上記高弾性伸張性の閉塞部材の屋根自由端から躯体への突出方向を突出方向中間位置で規制し、該閉塞部材の突出方向の確保と中間支持によって閉塞部材による雨水防止の閉塞を可及的有効になし得るものとすることができる。
【００１８】
請求項４に記載の発明は、同じく上記に加えて、上記中間枠乃至中間金具による閉塞部材の保持を、可及的安定且つ確実に行うものとすることができる。
【００１９】
請求項５に記載の発明は、同じく上記に加えて、閉塞部材の上記舌状先端による躯体に対する弾性圧接を可及的に線接触になし得るものとすることによって、閉塞部材の雨水防止を可及的有効になし得るものとすることができる。
【００２０】
請求項６に記載の発明は、同じく上記に加えて、上記閉塞部材を、高弾性伸張性を有する好ましい形態のものとすることができる。
【００２１】
請求項７に記載の発明は、同じく上記に加えて、上記揺動撓み空隙を、独立構築物の屋根自由端の揺動撓みを可及的充分に確保しつつ該屋根自由端が躯体に接触して該屋根自由端乃至躯体の壁面の損傷可能性を解消する幅を有するものとすることができる。
【図面の簡単な説明】
【００２２】
【図１】テラスの正面図である。
【図２】テラスの平面図である。
【図３】テラスの縦断面図である。
【図４】図３の部分拡大縦断面図である。
【図５】閉塞部材の設置状態を示す分解縦断面図である。
【図６】他の例を示す部分拡大縦断面図である。
【発明を実施するための形態】
【００２３】
以下図面の例に従って本発明を更に具体的に説明すれば、図１乃至図５において１は、建物開口部乃至壁面の前面に躯体固定することなく支柱支持によって独立施工する、本例にあって、例えば、既存のカーポートを転用することによってアルミ製のテラスとした建物添設用の独立構築物であり、該独立構築物１は、上記躯体Ａとの間に屋根自由端の風圧揺動乃至積雪撓みを躯体非接触状態で許容する揺動撓み空隙Ｂを配置する一方、上記屋根自由端に該自由端長手方向に一連に配置した取付枠２と、該取付枠２に該自由端側の幅方向一端を固定して躯体Ａ側に向けて幅広に突出することによって舌状先端４３を躯体Ａに対して上下方向摺動自在に弾性圧接して上記揺動撓み空隙Ｂを閉塞する高弾性伸張性の閉塞部材を備えたものとしてある。
【００２４】
本例にあって該独立構築物Ａは、アルミ押出材製の一対の支柱１１と、アルミ押出材製の屋根外枠内に同じくアルミ押出材を格子状に配置し上面に屋根パネル、例えばポリカーボネート、アルミ等の透明乃至不透明の屋根パネルを載置固定した屋根１２とを備え、一対の支柱１１を、躯体Ａから外側に離隔した位置に、該躯体Ａと平行に起立設置するとともに該一対の各支柱１１から躯体Ａ側に上向き傾斜して一端を固定した一対の梁に屋根１２を載置固定することによって、その上向き傾斜上位側先端に位置する屋根自由端を躯体Ａ側として、該一対の支柱１１によって屋根１２を支持したものとしてある。
【００２５】
このとき、該一対の支柱１１の起立設置は、これを、上向き傾斜の屋根１２の奥行幅と上記揺動撓み空隙Ｂの幅の合計寸法を躯体Ａから離隔した位置として、独立構築物Ａのテラスを施工することによって、その設置状態で躯体Ａとの間に上記揺動撓み空隙Ｂを配置して、該独立構築物１を、建物に添設するように施工するも、その躯体Ａに固定したり、支持したりすることなく、上記一対の支柱１１の支持によって躯体Ａとは無関係に施工した独立設置のものとしてある。
【００２６】
従って、該独立構築物１のテラスは、風圧の煽り荷重や積雪荷重の負荷の如くに外力を受けることによって、支柱１１支持状態で屋根１２に揺動や撓みを生じるに至るところ、該屋根１２の揺動や撓みは、上記揺動撓み空隙Ｂでなされるから、該屋根１２の揺動や撓みが生じても、屋根自由端は、躯体Ａとは無関係に上下方向に移動する結果、該屋根自由端が躯体Ａに接触するに至ることはなく、従って、該屋根１２の風圧の煽り荷重や積雪荷重による揺動や撓みを積極的に容認したものとしてある。
【００２７】
本例にあって該揺動撓み空隙Ｂは、その基準幅、即ち、施工時に基準として設置する幅を８〜１２ｃｍ、本例にあっては１０ｃｍとしてあり、該１０ｃｍを屋根自由端の先端と躯体Ａの壁面まで基準の幅として、上記独立構築物１のテラスの施工を行うものとしてある。
【００２８】
該揺動撓み空隙Ｂには、閉塞部材４によって、これを被覆するように閉塞して該揺動撓み空隙Ｂに対して可及的に雨水の浸入を防止し且つ損傷することなく耐久性を有するものとしてあり、該閉塞部材４は、例えばゴム、軟質合成樹脂等の高弾性伸張性の材質による幅広の板状成形材を用いて、その幅を、上記揺動撓み空隙の基準幅の１．７〜２倍としてあり、本例にあって該閉塞部材は、その幅を１８ｃｍ強としてある。
【００２９】
このとき、該閉塞部材４は、本例にあって、これを、エラストマーの成形材、特に押出成形材によるものとして、上記高弾性伸長性を高度に有することによって、好ましい雨水の浸入防止作用と耐久性を備えたものとしてある。該閉塞部材４は、その肉厚を、例えば、外側、即ち屋根側において１ｃｍ〜数ｍｍとし、躯体側に向けて次第に肉厚を減少して躯体側の上記舌状先端４３を、例えば数ｍｍ〜１〜２ｍｍ程度とした肉厚漸減のものとしてある。また、本例の閉塞部材４は、これに、例えばその外側に、下向き一連に一体成形して断面Ｔ字状とした嵌合条４１を備え、その幅方向中間の下面に下向き一連にＬ字状の係合条４２を配置し、その舌状先端４３の近傍に、該舌状先端４３とともに躯体に対接する対接条４４を配置したものしてあり、更に、上記Ｔ字状の嵌合条４１の外側、即ち、屋根１２の上面に向けて下降傾斜する水切突片４５を配置して一体に成形することによって、上記幅広板状のものとしてある。
【００３０】
本例における該閉塞部材４の上記取付枠２に対する固定は、これを、該取付枠２と閉塞部材４の一方に被嵌溝を、他方に嵌合条を配置し、これらの嵌合固定によって行ったものとしてあり、本例の被嵌溝２４は、これをアルミ押出材製の取付枠２の上面に、嵌合条４１は、これを閉塞部材４の上記下面にそれぞれ配置し、これらを嵌合し、必要に応じてネジ、接着等の固定手段、本例にあっては被嵌溝の下面からのネジ５を閉塞部材４の嵌合条４１に螺入することによって、その固定を行ったものとしてある。
【００３１】
また、本例にあって、上記屋根自由端の上記取付枠２の躯体側に、上記閉塞部材４を突出方向中間位置で保持して該閉塞部材の突出方向を規制する中間枠乃至中間金具、本例にあっては、例えばステンレス又はアルミ押出材製とした中間金具３を備えたものとしてあり、このとき、該中間金具３への閉塞部材４の保持は、該中間金具３と閉塞部材４にそれぞれ反対方向に向けて開口する各Ｌ字上の係合条又は係合部、本例にあっては閉塞部材４において係合条４２、中間金具３において係合部３２を配置し、これら係合条４２と係合部３２の係合によって行ったものとしてある。
【００３２】
本例における取付枠２は、屋根面内側のＬ字脚条２１と、該Ｌ字脚条２１に対して起立高さをやや高くして対向配置した先端側の先端Ｌ字脚条２２と、これらＬ字脚条２１及び先端Ｌ字脚条２２によって、屋根自由端に位置する端部枠（既存のカーポートをテラスに転用した本例の独立構築物にあってカーポートとして見たときはその前枠に相当するから、該端部枠を前枠といってもよい）１３から一対のＬ字状対向突条２３を上方に突出することによって、断面Ｃ字状とした被嵌溝２４と、上記先端Ｌ字脚条２２の突端に上向き傾斜面乃至上向き曲面をなすように起立した起立固定条２５を備えたものとしてある。
【００３３】
即ち、本例にあって上記端部枠１３は、上記既存のカーポートを転用したことから、その上面に上向きの合掌連結金具を設置する引掛け係合用のリブ１４を備えているところ、該リブ１４を、上記取付枠２を固定するための連結リブとして用いるように、該リブ１４に上記Ｌ字脚条２１を引掛け係合するとともに該Ｌ字脚条２１と先端Ｌ字脚条２２を該端部枠１３の上面に載置してその配置を行ってあり、このとき、該取付枠２は、上記中間金具３を上記起立固定条２５に、例えばネジ止めすることによって、該中間金具３とともに該端部枠１３を囲繞して該端部枠１３を２面で挟持するようにして、その固定を行ったものとしてある。
【００３４】
本例にあって、上記中間金具３は、上記取付枠２の起立固定条２５に重合し且つ上記端部枠１３に配置した屋根下面側に向けて傾斜面乃至曲面をなす降下端部面１５に、例えば上下方向部分的に重合する上下幅広の固定部３１と、該固定部３１の上端を屋根１２面内側に屈曲して上記横向きＬ字状とした係合部３２とを備えた片仮名のフ字状をなすプレートによるものとしてあり、該中間金具３は、その固定部３１を上記取付枠２の起立固定条２５と端部枠１３の降下端部面１５に重合配置して、その係合部３２を取付枠２の起立固定条２５にネジ５止めすることによって、該取付枠２に対して該中間金具３を一体化するとともに上記固定部３１を端部枠１３の降下端部面１５をなす傾斜面乃至曲面に重合することによって、該一体化した取付枠２と中間金具３は、取付枠のＬ字脚条２１の上記リブ１４への引掛係合と、中間金具３の降下端部面１５へのネジ５止めにより、該端部枠１３を上記囲繞してその挟持を行うようにしてその固定を行ってある。従って、本例にあって取付枠２は、これを、例えば、テラスの屋根内部へ雨水が浸入する可能性が残る端部枠１３に対して直接にネジ止めする如き構造を採ることなく、その安定且つ確実な固定を行ったものとしてある。
【００３５】
該端部枠１３に配置した取付枠２に対する上記閉塞部材４の上記幅方向一端の固定は、取付枠２の上記断面Ｃ字状の被嵌溝２４に閉塞部材４の上記Ｔ字状の嵌合条４１を嵌合固定することによって行ってあり、また、閉塞部材４の上記突出方向中間位置の保持は、上記中間金具３のＬ字状の係合部３２に閉塞部材４の上記幅方向中間の下面に下向き一連に配置したＬ字状の係合条４２を噛合せ状に係合することによって行ってあり、これにより、該閉塞部材４は、その材質における上記高弾性伸張性を利用して、舌状先端４３を躯体Ａに対して上下方向摺動自在に弾性圧接する一方、上記舌状先端４３近傍、即ち、該舌状先端４３の下位に、例えば舌状先端４３とハ字状をなすように配置した対接条４４が、該舌状先端４３を下支え状にして同様に躯体に弾性圧接することによって、上記舌状先端４３の躯体に対する上記上下摺動自在の弾性圧接を可及的に線接触としたものとしてある。
【００３６】
図６は、他の例を示すもので、閉塞部材４の上記取付枠２に対する被嵌溝２４と嵌合条４１による嵌合固定を、該被嵌溝２４を、アルミ押出材製の取付枠２の躯体側後面に躯体側を開口するように倒Ｔ字状に配置し、嵌合条４１を、閉塞部材４の下面に屋根１２側に倒Ｔ字状に突出してそれぞれ配置し、これらを嵌合することによって行うようにした例であり、このとき、取付枠２は、上記端部枠１３のリブ１４を覆うように上面に載置する載置部２６と、該載置部２６から、該端部枠１３の降下端部面１５に重合し、ネジ５によって該降下端部面１５に固定した固定部２７を備えて一体成形したものとしてあり、これによって、該取付枠２は、端部枠に直接にネジ止めするも、閉塞部材４下面に位置する降下端部面１５を固定箇所とするから、同様にテラスの屋根内部へ雨水が浸入する可能性を解消したものとしてあり、また、このように閉塞部材４の嵌合固定を、端部枠１３上に形成した垂直面をなす被嵌溝２４と閉塞部材４の屋根１２側下面の嵌合条４１の横向きの嵌合によって行い、また、閉塞部材４の舌状先端４３を該閉塞部材４から躯体Ａ側に屈曲したものとした結果、本例にあって上記中間枠乃至中間金具や上記対接条を用いることなく、該閉塞部材４の舌状先端４３を躯体Ａに対して線接触の弾性圧接を行うものとしてある。
なお、閉塞部材４の屋根１２側の端部は取付枠２の上面に位置することから水切突片の配置を省略してある。その余は上記例と変わらないので同一符合を付して重複する説明を省略する。
【００３７】
従って、本例の独立構築物１のテラスは、閉塞部材４が屋根１２と躯体Ａ間の上記揺動撓み空隙Ｂを閉塞して、該揺動撓み空隙Ｂからの雨水の浸入を可及的に防止することができ、該雨水の浸入を完全に防止することはできないとしても、日常的な建物とテラスの出入を含めた雨天時のテラス使用に際して有効な雨仕舞を行うことができ、このとき、上記エラストマーによる幅広板状の閉塞部材４を用いたから、該揺動撓み空隙Ｂを外観よく閉塞して、独立構築物１のテラスや躯体Ａの外観を損なうこともなく、また損傷することなく長期の耐久性を備えたものとすることができる。また、風圧の煽り荷重や積雪荷重の負荷によって屋根１２に揺動や撓みが生じても、閉塞部材４の舌状先端４３は躯体Ａに固定されることなく、上下方向摺動自在に弾性圧接したものとしたから、該閉塞部材４が屋根自由端の動作に追従し、上下方向に摺動する結果、例えば硬質の部材を用いた場合のように、該閉塞部材４が損傷することもなく、また、仮に、積雪荷重の負荷で該閉塞部材４が屋根自由端から垂下がり状に変形しても、該荷重負荷がなくなれば、必要に応じて棒を用いる等して下方から該閉塞部材４を上向きに押圧する如くにするようにすれば、容易に上向きの通常状態に復帰することができる。
【００３８】
図示した例は以上のとおりとしたが、独立構築物を、サンルームやサイクルポートの如くに、建物の開口部や建物の壁面に添設する、上記テラス以外のものとすること、上記サンルームのように躯体側に開口を有する独立構築物にあっては、縦壁や床の自由端にも屋根自由端に準じて躯体との間に空隙を配置し、該空隙を閉塞部材で閉塞するようにすること、取付枠への閉塞部材の嵌合固定を、取付枠に、例えば上記Ｔ字状の起立条を、閉塞部材に該起立条に係合する上記断面Ｃ字状の被嵌溝を配置して、上記と同様にこれらの嵌合によって行うようにすること、上記中間金具に代えて中間枠を用いること、このとき該中間枠は、屋根自由端長手方向に一連に設置した、例えば断面形状を中間金具と同様にして上記係合部を備えたものとすること、このとき該固定に際して、上記取付枠や中間枠乃至中間金具を用いるとき、端部枠を上記連結リブを備えたものとする如くに、端部枠と取付枠又はこれと中間枠乃至中間金具をその固定に適した構造のものとすること等を含めて、本発明の実施に当って、建物、独立構築物、屋根自由端、揺動撓み空隙、取付枠、閉塞部材、必要に応じて用いる被嵌溝、嵌合条、中間枠乃至中間金具、係合条又は係合部、対接条、エラストマーの押出成形材、揺動撓み空隙の基準幅等の各具体的形状、構造、材質、寸法、これらの関係、これらに対する付加等は、上記発明の要旨に反しない限り様々な形態のものとすることができる。
【符号の説明】
【００３９】
Ａ  躯体
Ｂ  揺動撓み空隙
１  独立構築物
１１  支柱
１２  屋根
１３  端部枠
１４  リブ
１５  降下端部面
２  取付枠
２１  Ｌ字脚条
２２  先端Ｌ字脚条
２３  Ｌ字状対向突条
２４  被嵌溝
２５  起立固定条
２６  載置部
２７  固定部
３  中間金具
３１  固定部
３２  係合部
４  閉塞部材
４１  嵌合条
４２  係合条
４３  舌状先端
４４  対接条
４５  水切突片
５  ネジ
【図１】
2018017118.tif 000003
【図２】
2018017118.tif 000004
【図３】
2018017118.tif 000005
【図４】
2018017118.tif 000006
【図５】
2018017118.tif 000007
【図６】
2018017118.tif 000008
【手続補正書】
【提出日】平成29年11月29日(2017.11.29)
【手続補正１】
【補正対象書類名】特許請求の範囲
【補正対象項目名】全文
【補正方法】変更
【補正の内容】
【特許請求の範囲】
【請求項１】
躯体から離隔して前記躯体の幅方向に配設された一対の支柱に、自由端を躯体側に向けて支持された屋根を備えた建物添設用独立構築物であって、
前記屋根自由端と、
前記屋根自由端側から前記躯体に向けて突出する板状の閉塞部材とを備え、
前記閉塞部材は、先端側の下面を前記躯体の壁面に沿って弾性圧接させると共に、前記先端側と前記屋根自由端側との間が下方に凸に屈曲されており、
前記閉塞部材の基端側が取付枠に支持され、
前記屋根自由端に固定された端部枠に前記取付枠の固定部が固定されていると共に、前記端部枠に設けたリブで前記取付枠の載置部を支持していることを特徴とする建物添設用独立構築物。
【請求項２】
前記端部枠の降下端部面と前記取付枠の固定部はネジで固定されている請求項１に記載された建物添設用独立構築物。
【請求項３】
前記取付枠は、前記閉塞部材の基端側に設けた嵌合条と嵌合する被嵌溝を備えている請求項１または２に記載された建物添設用独立構築物。
【手続補正２】
【補正対象書類名】明細書
【補正対象項目名】０００７
【補正方法】変更
【補正の内容】
【０００７】
本発明に係る建物添設用独立構築物は、躯体から離隔して前記躯体の幅方向に配設された一対の支柱に、自由端を躯体側に向けて支持された屋根を備えた建物添設用独立構築物であって、前記屋根自由端と、前記屋根自由端側から前記躯体に向けて突出する板状の閉塞部材とを備え、前記閉塞部材は、先端側の下面を前記躯体の壁面に沿って弾性圧接させると共に、前記先端側と前記屋根自由端側との間が下方に凸に屈曲されており、前記閉塞部材の基端側が取付枠に支持され、前記屋根自由端に固定された端部枠に前記取付枠の固定部が固定されていると共に、前記端部枠に設けたリブで前記取付枠の載置部を支持していることを特徴とする。
【手続補正３】
【補正対象書類名】明細書
【補正対象項目名】０００８
【補正方法】変更
【補正の内容】
【０００８】
また、前記端部枠の降下端部面と前記取付枠の固定部はネジで固定されていてもよい。
【手続補正４】
【補正対象書類名】明細書
【補正対象項目名】０００９
【補正方法】変更
【補正の内容】
【０００９】
さらに、前記取付枠は、前記閉塞部材の基端側に設けた嵌合条と嵌合する被嵌溝を備えていてもよい。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】